(57)【要約】【課題】シンプルな構成で消費エネルギーが少なく、室内に流入する空気流から、微小粒子状物質を有効且つ確実に吸着排除することができる微小粒子状物質捕捉装置を提供することを課題とする。【解決手段】３層の絶縁導線層１〜３と、前記３層の絶縁導線層１〜３のうちの２つの外側絶縁導線層１，３に負電荷を供給すると共に、前記３層の絶縁導線層１〜３のうちの中央絶縁導線層２に正電荷を供給する２つの電圧発生器４，５を備え、前記３層の絶縁導線層１〜３は、適宜間隔を置いて平行に配置され、隣接する層内の絶縁導線同士が互いに他からオフセットされて成る。【選択図】図１
2019018116.tif 000002
【特許請求の範囲】
【請求項１】
３層の絶縁導線層と、前記３層の絶縁導線層のうちの２つの外側絶縁導線層に負電荷を供給すると共に、前記３層の絶縁導線層のうちの中央絶縁導線層に正電荷を供給する２つの電圧発生器を備え、
前記３層の絶縁導線層は、適宜間隔を置いて平行に配置され、隣接する層内の絶縁導線同士が互いに他からオフセットされて成ることを特徴とする微小粒子状物質捕捉装置。
【請求項２】
前記電圧発生器は、ソーラーパネルから電力を供給される蓄電池を電源として動作する、請求項１に記載の微小粒子状物質捕捉装置。
【請求項３】
前記電圧発生器により印加される電圧は４．５ｋＶ以上である、請求項１又は２に記載の微小粒子状物質捕捉装置。
【発明の詳細な説明】
【技術分野】
【０００１】
本発明は、微小粒子状物質捕捉装置に関するものであり、より詳細には、例えば、健康問題を引き起こす可能性がある煙の中の微小粒子状物質を、静電気を利用して捕捉する微小粒子状物質捕捉装置に関するものである。
【背景技術】
【０００２】
煙は、木材等の有機物を燃焼させた時に生ずる気体と微細粒子の複雑な混合物で構成されている。煙による最大の健康障害は、微細粒子に由来する。これらの微細な粒子は、目や呼吸系に入る可能性があり、そこで、焼けるような目の痛み、鼻水の出る鼻、また、気管支炎等の疾病といった健康問題を引き起こす可能性がある。微細粒子はまた、慢性心不全や肺疾患を悪化させる可能性があり、早期死亡に繋がると言われている。そのため、住居における空中の微小粒子状物質を排除することによって、空気汚染物質に敏感な人々の生活の質を改善することが求められる。
【０００３】
従来、かかる微粒子を浄化する方法として、空気を誘電体バリア放電を用いて活性化させた搬送管内において、粒子の攪拌や搬送、浄化を行う微粒子搬送装置を用いる方法が提唱されている（特許文献１：特許第５６８８６５１号公報）。
【０００４】
また、大気その他の気体中に浮遊する微粒子を、フィルター法によるろ過によることなく、高能率で除去するための方法として、微粒子を含有する微粒子含有気体から当該微粒子を除去処理して清浄気体を得る微粒子除去処理を、一方の極性に帯電させた当該微粒子に、当該一方の極性と逆極性である他方の極性に帯電させた除去液ミストを出会わせることにより行う、静電気のクーロン力を利用する除去方法の提案もある（特許文献２：特開２０１７−９２７号公報）。
【先行技術文献】
【特許文献】
【０００５】
【特許文献１】特許第５６８８６５１号公報
【特許文献２】特開２０１７−９２７号
【発明の概要】
【発明が解決しようとする課題】
【０００６】
しかるに、これら従来の微粒子除去方法の場合は、いずれも大掛かりな装備が必要となるもので、設置コスト並びにエネルギー消費量も嵩むため、一般家庭等において手軽に利用する訳にはいかないという問題がある。
【０００７】
本発明は、このような従来技術における問題に鑑みてなされたもので、シンプルな構成で消費エネルギーが少なく、室内に流入する空気流から、微小粒子状物質を有効且つ確実に吸着排除することができる微小粒子状物質捕捉装置を提供することを課題とする。
【課題を解決するための手段】
【０００８】
本発明者らは、健康問題を引き起こす可能性のある煙の中の微小粒子状物質が室内に流入することを防止するための方法を追求した結果、静電気引力を用いることにより、煙の中の微小粒子状物質が室内に入り込むことを防ぐことができるとの知見を得て、本発明を完成させるに至ったものである。
【０００９】
即ち、上記課題を解決するための請求項１に記載の発明は、３層の絶縁導線層と、前記３層の絶縁導線層のうちの２つの外側絶縁導線層に負電荷を供給すると共に、前記３層の絶縁導線層のうちの中央絶縁導線層に正電荷を供給する２つの電圧発生器を備え、前記３層の絶縁導線層は、適宜間隔を置いて平行に配置され、隣接する層内の絶縁導線同士が互いに他からオフセットされて成ることを特徴とする微小粒子状物質捕捉装置である。
【００１０】
一実施形態においては、前記各電圧発生器は、ソーラーパネルから電力を供給される蓄電池を電源として動作する。また、前記電圧発生器により印加される電圧は４．５ｋＶ以上とされる。
【発明の効果】
【００１１】
本発明に係る微小粒子状物質捕捉装置は上記のとおりであって、非常にシンプルな構成で製造容易であり、長期間に亘り、低いエネルギー消費量で絶え間なく動作させ続けることができ、その間、室内に流入する空気流から微小粒子状物質を有効且つ確実に捕捉し続けることができる効果がある。
【図面の簡単な説明】
【００１２】
【図１】本発明に係る微小粒子状物質捕捉装置の構成を説明するための概略構成図である。
【図２】本発明に係る微小粒子状物質捕捉装置の有効性を確認するために行った実験設備を説明するための実験設備構成図である。
【図３】本発明に係る微小粒子状物質捕捉装置の有効性を確認するために行った実験の結果得られたモスキートコイルの煙中の微細粒子の捕捉率を示すグラフである。
【発明を実施するための形態】
【００１３】
本発明を実施するための形態について、添付図面を参照しつつ説明する。図１に示されるように本発明に係る微小粒子状物質捕捉装置は、３層の絶縁導線層１〜３と、この３層の絶縁導線層１〜３のうちの２つの外側絶縁導線層１、３に負電荷を供給する電圧発生器４と、中央絶縁導線層２に正電荷を供給する電圧発生器５とを備えて成るものである。
【００１４】
この微小粒子状物質捕捉装置は、電極として絶縁導線層１〜３を用いて電場を形成するものである。例えば、絶縁導線層１〜３は、鉄線（直径２ｍｍ、長さ１５〜５５ｃｍ）を透明の絶縁体ビニルスリーブ（厚さ１ｍｍ、バルク抵抗率１×１０９Ωｃｍ）に通して絶縁した断面円形の絶縁導線により形成される。３層の絶縁導線層１〜３は、適宜間隔を置いて平行に配列され、これに負電圧を供給する静電直流（ＤＣ）電圧発生器４と、正電圧を供給する静電直流（ＤＣ）電圧発生器５が接続されて構成される（図１（Ａ），（Ｂ）参照）。
【００１５】
絶縁導線層１〜３は、例えば、各層間に５ｍｍの間隔を置いて平行に配置されて相互に接続され、負又は正の電圧発生器４、５に接続される。負又は正に帯電させた絶縁導線層１〜３は、図１（Ｂ）においてそれぞれ、絶縁導線層（−）及び絶縁導線層（＋）で表してある。この絶縁導線層１〜３をフレーム内に収めて静電気バリア形成窓が形成される。その場合、中心の絶縁導線層２が（＋）層で両側の絶縁導線層１、３が（−）層となり、これら３層は、平行且つ５ｍｍ程の間隔に配置され、また、隣り合う層内の絶縁導線層同士が、互いに他から上下にオフセットされて構成される（図１参照）。
【００１６】
電圧発生器４、５は、互いに他に結合され、（−）層である絶縁導線層１、３と（＋）層である絶縁導線層２との間に電場を生ずる電気回路が形成される（図１（Ｂ））。両方の電圧発生器４、５は、例えば、１５Ｗのソーラーパネルから電力を供給される１２Ｖの蓄電池６を電源として動作させ続けることができる。このシステムでは、（＋）層の絶縁導線層２からの自由電子を（−）層の絶縁導線層１、３に押し出し、且つ、絶縁導線層の対向面の電荷が、それらの間に電場を形成する双極子として働く。
【００１７】
図１における符号７は、電圧発生器４、５間の電線路に組み込んだ検流計（ＰＣ７０００；三和電気計器、東京、日本）を示している。
【００１８】
本発明に係る微小粒子状物質捕捉装置は、一般家庭の窓枠等に組み付けられて、室内に流入しようとする煙の中の微細粒子を、その絶縁導線層１〜３によって生成される電場によって捕捉することを企図したものである。
【００１９】
本発明に係る微小粒子状物質捕捉装置の有効性、即ち、煙の中の微細粒子を、その絶縁導線層１〜３によって生成される電場によって十分に捕捉することができるのか否かを確認するための試験を行った。その試験は、木製の立方体の箱（辺の長さ、２５ｃｍ）の一方の側に、試験サイズ（２０×２０ｃｍ）に縮めた本発明に係る装置（ＥＷＳ１２）を設置し、他方の側に軸流ファン１３を取り付けた試験箱１１を制作し（図２（Ａ））、この試験箱１１を、密閉したより大きな透明のアクリル箱（１２０×９０×１００ｃｍ）１４内に収めた試験装置を製作して行った（図２（Ｂ））。
【００２０】
この試験装置を用いて、煙の中の微細粒子を捕捉する本発明に係る装置の能力を確認するため、香取線香（モスキートコイル）（アース製薬、東京、日本）、肉薫製用の圧縮した桜材おがくず（新富士バーナー、豊川、日本）、及び、巻きたばこ（日本たばこ産業、東京、日本）を用いて煙を生成した。放出された粒子の範囲は、燃焼時、０．５〜２．５ｍｍであった。
【００２１】
燃えている蚊取線香又は削り屑の塊及び巻きたばこをアクリル箱１４内に入れ、試験箱１１の軸流ファン１３を動作させて、３ｍ／秒で内部空気を循環させて煙を絶え間なく発生させ、高感度風力計（クリモマスター６５３３；カノマックス、東京、日本）を用いて、ＥＷＳ１２の表面で風速を測定した。循環させた空気内の粒子密度は、試験箱１１内に設置したモニター１５（ダストモニター粉塵計ＤＣ１１００プロ、株式会社佐藤商事、川崎、日本；測定可能な粉じんの範囲：直径０．５〜２．５ｍｍ）で測定した。
【００２２】
粒子密度があるレベル（粒子数１．５×１０８個／ｍ3）に達した時点で煙源を取り外し、次いで、絶縁導線層１〜３を同じ負及び正の電圧（０．５〜４．５ｋＶ）で１２０秒間帯電させて、ＥＷＳ１２を通過する粒子の全てを捕捉するための電圧範囲を求めた。  
【００２３】
図３は、３ｍ／秒の空気流（本試験装置の最高風速）に対して、異なる電圧で帯電させたＥＷＳ１２により捕捉されたモスキートコイルの煙の微細粒子の百分率を示している。なお、ネガティブコントロールとして非帯電箱を用意し、非帯電箱では粒子の１００％がＥＷＳ１２を通過すると仮定して、本発明による帯電箱内の粒子の数を、非帯電箱のそれに対する百分率で表した。実験は５回繰り返し、データを平均値±標準偏差（ＳＤ）で算出した。データ間の有意差は、テューキー法を用いて解析し、ｐ値＜０．０５が統計学的に有意である、と判断した。
【００２４】
図３のグラフから明らかなように、検出された微細粒子の数は、印加電圧が高くなるに伴って減少している。この電場では、粒子は、静電牽引力及び空気流の力に影響され、粒子の運動の方向は、これら２つの力の合成ベクトルによって決定される。ＥＷＳ１２は、電極への印加電圧が４．５ｋＶを超えた時に生じた電場内では、微細な煙粒子の全てを捕捉することができたが（ｄ参照）、より低い電圧下では、電場により生じた力は空気流の力より弱かったため、粒子はＥＷＳ１２を通過した（ａ，ｂ，ｃ参照）。
【００２５】
ＥＷＳ１２は間隙の無い多数の電場を有するものとして作成したが、これは、微小粒子状物質捕捉の成功は、粒子が通過できる空間が全く無い静電気バリアの形成如何にかかっていると考えたからである。この電場を形成する際の重要なステップは、言うまでもなく絶縁導線層１〜３を荷電することである。そのために、２つの電圧発生器４，５のコッククロフト回路（Ｗｅｇｎｅｒ ２００２）を介して生成した高電圧を用い、絶縁導線層１，３に電子を加え、絶縁導線層２から電子を押し出して、両方の電極を帯電させた。
【００２６】
本発明に係る微小粒子状物質捕捉装置は、粒子を捕捉するその能力に加えて、消費電力が低いことが、実用上重要な特徴である。日本は、例えば、地震の後で起こるような、頻繁な大停電の危機に常に晒されており、その際には、微小粒子状物質の捕捉が停止状態になってしまう。本装置の場合、電圧発生器４，５が電源を必要とする唯一の駆動部分であり、その電力は僅か５Ｗで、これは、小さな電球の電力に相当する。従って、電圧発生器４，５に電力を供給するための方法として、太陽光発電法の使用が可能になったのである。
【００２７】
本装置において、電場における微細粒子の牽引は、不均一な電場による微細粒子の誘電泳動が原因であると推測される。誘電泳動は、不均一な電場内で、誘電体粒子（極性が反対の粒子）に力が加えられる現象である。この力は、粒子が帯電していることを必要としない。なぜなら、粒子は全て、不均一な電場が存在する場合、誘電泳動活動を示すからである。なお、粒子が誘電的に極性を与えられたのは、本試験で使用された断面円形電極により不均一な電場が生じたからに他ならない。
【００２８】
この誘電泳動理論によれば、周囲の電場に比例する粒子の分極化は、電場強度の勾配に沿って変化する。この変化し得る分極化によって、粒子は、電極に向かって動くことが可能になる。事実、粒子は、最も近い電極に向かって、すなわち、電極によって生成される電場強度が増大する方向に移動した。本発明においては、電極は等しい電圧によって逆帯電され、従って、両電極は、同じ電場強度の勾配を生じた。これらの逆帯電電極は、粒子に対して同じ牽引力を発揮した。電場強度の勾配は、電極に加わる電圧と共に増大し、結果として両電極は、粒子を捕捉するのに十分な力を生じた。
【００２９】
上記のとおり、本発明に係る微小粒子状物質捕捉装置は、基本的な静電気学を用いて、人間の環境を改善するものであり、その構成は非常にシンプルなもので、製造容易で比較的低コストにて供給でき、しかも、低い消費電力で正常に動作して、煙に含まれている微細粒子を誘電泳動の原理により効率よく捕捉することが可能なものであり、その産業上の利用可能性は極めて大である。
【符号の説明】
【００３０】
１〜３     絶縁導線層
４，５     電圧発生器
６         蓄電池
７         検流器
【図１】
2019018116.tif 000003
【図２】
2019018116.tif 000004
【図３】
2019018116.tif 000005